(57)【要約】  本発明は、血液処理装置に医療用流体を供給するためのデバイス（１）に属するプラグユニット（Ａ）への接続のためのソケットユニット（Ｂ，Ｂ’）を有する医療装置（２，３）に関し、医療装置（２，３）は、特に、例えば、体外透析装置又は腹膜透析のための装置のような体外血液処理装置（２）又は医療用流体を供給するためのデバイス（１）を充填するための装置（３）である。本発明はまた、血液処理装置に医療用流体を供給するためのデバイス（１）に関し、この装置は、医療装置のソケットユニットへの接続のためのプラグユニットを有する。ソケットユニット（Ｂ，Ｂ’）及びプラグユニット（Ａ）は、安全かつ固定した流体密接続が、医療用流体を供給するためのデバイス、一方は血液処理装置、他方は医療用流体を供給するためのデバイスを充填するための装置の間の２つのユニットで容易になされることができるという点を特徴とする。
2015509796.tif 000002
【特許請求の範囲】
【請求項１】
医療用流体を供給するためのデバイスに属するプラグユニットへの接続のためのソケットユニット（Ｂ，Ｂ’）を具備する医療装置であって、
前記ソケットユニット（Ｂ，Ｂ’）は、前記プラグユニットの少なくとも１つのコネクタを接続するための少なくとも１つの接続ピース（２５，２６；６５，６６）を有し、これにより、前記コネクタが前記接続ピースに接続されたとき、流れ可能接続が、新しい処理流体が供給されるか、使用済みの流体が出されるかすることを可能にする医療装置において、
前記ソケットユニット（Ｂ，Ｂ’）は、前記ソケットユニットの前記少なくとも１つの接続ピース（２５，２６；６５，６６）を、又は前記プラグユニットの前記少なくとも１つのコネクタを移動させるための手段（４０，４３；５７）を有し、
前記ソケットユニット（Ｂ）は、前記プラグユニット及び前記ソケットユニットを接続するための手段（４０，５０；５７，６４）を有し、これらは、前記ソケットユニットの前記少なくとも１つの接続ピースと前記プラグユニットの少なくとも１つのコネクタとの間に相対移動が生じたとき、前記プラグユニット及び前記ソケットユニットが互いに接続されるように設計されていることを特徴とする医療装置。
【請求項２】
前記ソケットユニット（Ｂ，Ｂ’）の前記少なくとも１つの接続ピース（２５，２６；６５，６６）を、又は前記プラグユニットの前記少なくとも１つのコネクタを移動させるための手段（４０，４３；５７）と、前記プラグユニット及び前記ソケットユニットを接続するための手段（４０，５０；５７，６４）が、前記プラグユニット及び前記ソケットユニットの接続が、前記ソケットユニットの前記少なくとも１つの接続ピースと前記プラグユニットの前記少なくとも１つのコネクタとの間で前記相対移動が生じたのと同時に起こるように協働することを特徴する請求項１の医療装置。
【請求項３】
前記ソケットユニット（Ｂ）の前記少なくとも１つの接続ピース（２５，２６）は、前記ソケットユニットに不動であるように配置され、前記ソケットユニット（Ｂ）の前記少なくとも１つの接続ピース（２５，２６）又は前記プラグユニットの前記少なくとも１つのコネクタを移動させるための手段（４０，４３）は、前記プラグユニットが前記ソケットユニットに向かって、又は前記ソケットユニットから離れるように移動されることができるように設計されていることを特徴とする請求項１又は２の医療装置。
【請求項４】
前記プラグユニット及び前記ソケットユニットを接続するための手段（４０，５０；５７，６４）は、前記プラグユニットの突出ピースに対して長手方向に移動可能な受けピース（４０，５７）を有することを特徴とする請求項１ないし３のいずれか１の医療装置。
【請求項５】
前記ソケットユニットの前記少なくとも１つの接続ピース又は前記プラグユニットの前記少なくとも１つのコネクタを移動させるための手段（４０，４３；５７）は、前記受けピースを移動させるためのドライブユニット（４３）を有することを特徴とする請求項４の医療装置。
【請求項６】
前記ソケットユニット（Ｂ）の前記受けピース（４０）は、前記プラグユニットの前記突出ピースが挿入されることができる前記長手方向に移動可能な管状体（４０）の形態をとることを特徴とする請求項４又は５の医療装置。
【請求項７】
前記ソケットユニット（Ｂ，Ｂ’）の前記受けピース（４０，５７）は、前記プラグユニットの前記突出ピースのラッチノーズを受けるための凹部（４６；６２）を有することを特徴とする請求項４ないし６のいずれか１の医療装置。
【請求項８】
前記プラグユニット及び前記ソケットユニットを接続するための手段（４０，５０；５７，６４）は、前記プラグユニットの前記突出ピースに導入されることができるピンの形態である本体（５０；６４）を有し、これにより、前記プラグと前記ソケットユニットとの間に接続をなすように、前記プラグユニットの前記突出ピースが離れるように開かれることを可能にすることを特徴とする請求項１ないし７のいずれか１の医療装置。
【請求項９】
ピンの形態である前記本体（５０）は、前記ソケットユニット（Ｂ）に不動であるように配置されていることを特徴とする請求項８の医療装置。
【請求項１０】
ピンの形態である前記本体（５０）は、前記管状体（４０）に配置されていることを特徴とする請求項９の医療装置。
【請求項１１】
前記プラグユニット及び前記ソケットユニットを接続するための手段（４０，５０；５７，６４）は、前記ソケットユニットの前記受けピース（４０，５７）内の前記プラグユニットの前記突出ピースを検出するための手段（４７，６３）を有することを特徴とする請求項４ないし１０のいずれか１の医療装置。
【請求項１２】
前記プラグユニットの前記突出ピースを検出するための手段（４７，６３）は、弾性的に予め負荷が加えられ、前記プラグユニットの前記突出ピースが前記ソケットユニットの前記受けピースに導入されたとき、前記感知部材が、前記弾性的な負荷に抗して移動可能であるように、前記ソケットユニットに配置された感知部材（４７，６３）を有することを特徴とする請求項１１の医療装置。
【請求項１３】
前記感知部材（４７，６３）は、管状体（４７，６３）の形態をとることを特徴とする請求項１２の医療装置。
【請求項１４】
前記ピンの形態である前記受けピース（４０，５７）、前記管状体（４７，６３）及び前記本体（５０，６４）は、同心で配置されている請求項１３の医療装置。
【請求項１５】
前記ソケットユニット（Ｂ）は、前記プラグユニットの第１のコネクタ（２５，６５）への接続のための第１の接続ピースと、前記プラグユニットの第２のコネクタへの接続のための第２の接続ピース（２６，６６）とを有し、これにより、新しい処理流体を供給するための第１の流れ可能接続と、使用済みの処理流体を出すための第２の流れ可能接続とがなされることを可能にすることを特徴とする請求項１ないし１４のいずれか１の医療装置。
【請求項１６】
医療装置は、血液処理装置（２）であり、特に、体外透析装置又は腹膜透析のための装置であることを特徴とする請求項１ないし１５のいずれか１の医療装置。
【請求項１７】
医療装置は、血液処理装置に、特に、体外透析装置又は腹膜透析のための装置に医療用流体を供給するためのデバイスを充填するための装置（３）であることを特徴とする請求項１ないし１５のいずれか１の医療装置。
【請求項１８】
血液処理装置に、特に体外透析装置又は腹膜透析のための装置に医療用流体を供給するための医療用処理装置であって、
医療用流体を供給するためのデバイス（１）は、医療用処理装置の、又は医療用流体を供給するためのデバイスを充填するための装置のソケットユニットへの接続のためのプラグユニット（Ａ）を有し、
前記プラグユニット（Ａ）は、前記ソケットユニットの少なくとも１つの接続ピースへの接続のための少なくとも１つのコネクタ（２７と２８）を有し、これにより、新しい処理流体が供給されること又は使用済みの処理流体が出されることを可能にする少なくとも１つの流れ可能接続がなされる装置において、
前記プラグユニット（Ａ）は、前記ソケットユニットの受けピースに挿入されることができる突出ピース（３２）を有し、前記プラグユニット（Ａ）の前記突出ピース（３２）は、前記突出ピースが前記プラグユニットの前記受けピースにロックされることができるように設計されていることを特徴とする装置。
【請求項１９】
前記プラグユニット（Ａ）の前記突出ピース（３２）は、ラッチノーズ（３４）が設けられたラッチ部材（３３）を有することを特徴とする請求項１８の装置。
【請求項２０】
前記ラッチ部材は、周縁に分配されるように配置されており、前記ラッチノーズ（３４）は、前記ラッチ部材（３３）の自由端の外側面に形成されていることを特徴とする請求項１９の装置。
【請求項２１】
前記プラグユニット（Ａ）は、前記ソケットユニットの第１の接続ピースへの接続のための第１のコネクタ（２７）と、前記ソケットの第２の接続ピースへの接続のための第２のコネクタ（２８）とを有し、これにより、少なくとも、新しい処理流体を供給するための第１の流れ可能接続と、使用済みの処理流体を出すための第２の流れ可能接続とがなされることを可能にすることを特徴とする請求項１８ないし２０のいずれか１の装置。
【発明の詳細な説明】
【技術分野】
【０００１】
本発明は、血液処理装置に医療用流体を供給するためのデバイスに属するプラグユニットへの接続のためのソケットユニットを有する医療装置に関し、医療装置は、特に、例えば体外透析装置又は腹膜透析のための装置である体外血液処理装置、あるいは医療用流体を供給するためのデバイスを充填するための装置である。これと同様に、本発明はまた、医療装置の、特に、血液処理装置又は医療用流体を供給するためのデバイスを充填するための装置のソケットユニットへの接続のためのプラグユニットを有する医療用流体を供給するためのデバイスに関する。
【背景技術】
【０００２】
医療技術で使用されるユニットに外部部品を接続するための多くのコネクタが知られている。医療技術で使用されるユニットへのアクセスは、一般的に、医療技術で使用されるユニットのソケットに適合させて挿入されるプラグによって得られる。この場合には、医療技術で使用されるユニットは、以下では医療用流体のアイテムと称され、適切なソケットユニットを有し、一方、外部部品は、プラグユニットを有する。
【０００３】
腎臓病に苦しむ患者を治療するために使用されるのは、特に体外血液処理装置のアイテム又は腹膜透析のための装置のアイテムを含む血液処理装置のアイテムである。患者の血液を浄化するために、医療用処理流体が供給されることが必要である。これらは、例えば、透析流体又は代用流体を含む。自動腹膜透析（ＡＰＤ）又は急性透析として知られているものでは、医療用処理流体は、医療用血液処理装置で自動的に処理される。処理流体は、処理装置に接続された流体リザーバで供給される。新しい透析流体は、流体リザーバから血液処理装置に送られ、使用済みの流体は、処理装置から出て流体リザーバに送られる。流体リザーバは、水で希釈される必要がある濃縮物を既に含んでいることがある。この場合には、流体リザーバは、単に水で充填される必要がある。このために、水は、この接続における医療用流体であることが理解される。また、使用の準備ができている処理流体が複数の流体を混合することによって処理装置で生成されたとき、血液処理装置に接続された複数の流体リザーバがあることが可能である。液体リザーバは、血液処理装置にあるソケットユニットに挿入されるプラグユニットによって血液処理装置に再び接続される。
【０００４】
透析流体を供給するためのデバイスを充填するために、透析流体を供給するためのデバイスが接続されることができる装置のアイテムが知られている。この目的のために、充填装置のアイテムは、再び、透析流体を供給するためのデバイスのプラグユニットに接続されることができるソケットユニットを有する。
【０００５】
処理流体を供給するためのデバイスが、例えば、欧州特許第０５７５９７０号から知られている。透析流体を供給するためのこの周知の装置は、その自由端でプラグに接続された可撓性のラインに接続される、流体を受けるためのバッグを有する。透析装置は、プラグが挿入されるソケットを有する。プラグ及びソケットを用いて、新しい透析流体がバッグから出て透析装置に入るように伝達され、伝達された使用済みの透析流体がバッグに戻るように伝達されることを可能にするために、２つの流れ可能接続をなすことが可能である。プラグがソケットから滑り出ないようにプラグを固定するために、プラグは、プラグがソケットに完全に挿入されたとき、ソケットの凹部と係合するラッチノーズを有する。
【先行技術文献】
【特許文献】
【０００６】
【特許文献１】欧州特許第０５７５９７０号
【発明の概要】
【０００７】
本発明の目的は、医療従事者ができるだけ容易に、かつ安全に、医療用流体を血液処理装置に供給するためのデバイスを血液処理装置に、又は医療用流体を供給するためのデバイスを充填するための装置に接続することを可能にすることである。
【０００８】
本発明の基礎となる目的は、医療従事者にとって、血液処理装置の、特に、体外透析装置又は腹膜透析のための装置のアイテムへの医療用流体、特に透析流体の供給を簡単にし、血液処理の安全性を高めることである。この目的は、独立請求項の特徴によって本発明に従って達成される。本発明の効果的な実施形態は、従属請求項の主題を形成する。
【０００９】
本発明による医療用血液処理装置又は医療用流体を供給するためのデバイスを充填するための本発明による装置は、ソケットユニットを有し、一方、医療用流体を供給するための本発明による装置は、プラグユニットを有する。
【００１０】
ソケットユニット及びプラグユニットは、安全で安定した接続が、医療用流体を供給するためのデバイスと、一方では、血液処理装置と、他方では、医療用流体を供給するためのデバイスを充填するための装置との間に、２つのユニットを用いてなされることができることを特徴とする。
【００１１】
流れ可能接続をなすために、ソケットユニットは、少なくとも１つの接続ピースを有し、一方、プラグユニットは、少なくとも１つのコネクタを有し、接続ピースがコネクタに接続されたとき、流体密接続がなされることができる。
【００１２】
好ましい実施形態では、ソケットユニットは、プラグユニットの第１のコネクタへの接続のための第１の接続ピースと、プラグユニットの第２のコネクタへの接続のための第２の接続ピースとを有し、これにより、新しい処理流体を供給するためになされる第１の流れ可能接続と、使用済みの処理流体を出すためになされる第２の流れ可能接続とを可能にする。
【００１３】
接続ピース及びコネクタがどの形態をとるかは、本発明の基本的な原理にとって重要でない。接続ピース及びコネクタは、これらの部分に関して、それぞれ、プラグ及びソケットであることができる。本発明の基本的な原理は、ソケットユニットの少なくとも１つの接続ピースがプラグユニットの少なくとも１つのコネクタに対して移動されるか、プラグユニットの少なくとも１つのコネクタがソケットユニットの少なくとも１つの接続ピースに対して移動されるかの手段を有するソケットユニットにある。これは、自動的に接続される接続ピース及びコネクタをもたらす。それ故、プラグユニットがソケットユニットに完全に挿入される必要はない。プラグユニットがソケットユニットに緩く挿入されれば十分である。そして、接続ピースとコネクタとの流体密接続が自動的に起こる。
【００１４】
ソケットユニットは、プラグユニット及びソケットユニットを接続するための手段を有し、これらは、ソケットユニットの少なくとも１つの接続ピースとプラグユニットの少なくとも１つのコネクタとの間に相対移動が生じたとき、ソケットユニットにはじめは単に緩く挿入されたプラグユニットがソケットユニットに緊密に接続されるように設計されている。
【００１５】
好ましい実施形態では、プラグユニット及びソケットユニットの接続は、相対移動が生じたのと同時に起こる。しかしながら、接続ピース及びコネクタの接続が起こる前にプラグユニットとソケットユニットとが互いに接続されることも可能である。
【００１６】
本発明は、２つの実施形態で準備され、一方の実施形態は、好ましくは、血液処理装置で使用され、他方の実施形態は、好ましくは、医療用流体を供給するためのデバイスが充填される装置で使用される。
【００１７】
第１の実施形態では、ソケットユニットの少なくとも１つの接続ピースは、ソケットユニットに不動であるように配置され、ソケットユニットの少なくとも１つの接続ピース又はプラグユニットの少なくとも１つのコネクタを移動させるための手段は、プラグユニットがソケットユニットに向かって、又はソケットユニットから離れるように移動されることができるように設計されている。この実施形態では、かくして、プラグユニットとソケットユニットとの間で相対移動が起こり、プラグユニットは、接続ピース及びコネクタを接続するためにソケットユニットに自動的に引き込まれる。
【００１８】
第１の他の実施形態では、プラグユニット及びソケットユニットを接続するための手段は、好ましくは、長手方向において移動可能で、プラグユニットの相補的な突出ピースがよい嵌め合いで挿入されることができる受けピースを有する。ソケットユニットの少なくとも１つの接続ピース又はプラグユニットの少なくとも１つのコネクタを移動させるための手段は、好ましくは、受けピースを移動させる電気モータドライブを有する。電気モータドライブではなく、空気圧式ドライブが同等に設けられてもよい。
【００１９】
さらなる好ましい実施形態は、プラグユニットの突出ピースが挿入されることができる長手方向において移動可能な管状体の形態をとるように、ソケットユニットの受けピースに対して準備する。
【００２０】
特に好ましいさらなる実施形態では、ソケットユニットの受けピースは、プラグユニットの突出ピースにあるラッチノーズを受けるための凹部を有する。掛け金式に締まる接続がこのようにしてなされることができる。しかしながら、受けピース及び突出ピースは、この手段によってまだロックされない。
【００２１】
受けピースに突出ピースをロックするために、プラグユニット及びソケットユニットを接続するための手段は、好ましくは、プラグユニットの突出ピースに導入されることができるピンの形態である本体を有し、これにより、プラグユニットの突出ピースが、プラグユニットとソケットユニットとの間に緊密な接続をなすために離れるように開かれる。プラグユニットの突出ピースは、それが滑り出るのを防ぐために、ソケットユニットの受けピースに固定される。特に好ましいこの実施形態では、突出ピース及び受けピースのロックは、突出ピースを離れるように開くことが、これらが滑り出るのを防ぐために凹部にラッチノーズを固定するという事実によって起こる。
【００２２】
プラグユニットの突出ピースを離れるように開くためのピンの形態である本体は、不動であるようにしてソケットユニットに、好ましくは受けピースの管状体に配置される。これは、コンパクトな構造を生む。
【００２３】
特に好ましい本発明のさらなる実施形態は、ソケットユニットの受けピース内で自動的に検出されるプラグユニットの突出ピースを提供する。受けピース内の突出ピースを検出するための手段は、好ましくは、弾性的に予め負荷が加えられ、プラグユニットの突出ピースがソケットユニットの受けピースに導入されたとき、感知部材が弾性的な負荷に抗して移動されるようにソケットユニットに配置された感知部材を有する。感知部材の移動は、既知の手段によって検出されることができる。この目的のために設けられることができるものは、例えば、感知部材が移動されたときに開閉される電気コンタクト、又は感知部材の位置が検出されることによる光障壁である。
【００２４】
特に好ましい本発明のさらなる実施形態では、受けピース、管状体及びソケットユニットのピンの形態である本体は、同心で配置され、従って、特にコンパクトな構造を生む。
【００２５】
以下、本発明の実施形態が、図面を参照して詳細に説明される。
【図面の簡単な説明】
【００２６】
【図１】図１は、血液処理装置及び透析流体を供給するためのデバイスを充填するための装置と一緒に、医療用流体を、特に透析流体を供給するためのデバイスを示すかなり簡略化された概略図である。
【図２】図２は、図１に示される、透析流体を供給するためのデバイスのプラグユニットと、血液処理装置のソケットユニットとを示す斜視図である。
【図３】図３は、図２に示されるプラグユニット及びソケットユニットの断面図であり、プラグユニットとソケットユニットとは互いに接続されていない。
【図４】図４は、図２に示されるプラグユニット及びソケットユニットの断面図であり、ソケットユニットはプラグユニットが接続される準備ができている。
【図５】図５は、図２に示されるプラグユニット及びソケットユニットを通る断面であり、プラグユニットはソケットユニットに緩く挿入されている。
【図６】図６は、図２に示されるプラグユニット及びソケットユニットを通る断面であり、プラグユニットがソケットユニットに接続され、これにより、流れ可能接続をなす。
【図７】図７は、透析流体を供給するためのデバイスのプラグユニットと、透析流体を供給するためのデバイスを充填するための装置のソケットユニットとを示す斜視図である。
【図８Ａ】図８Ａは、フラッシングプロセスの開始のために準備されたときの図７に示されるソケットユニットを示す図である。
【図８Ｂ】図８Ｂは、フラッシングプロセス中の図７に示されるソケットユニットを示す図である。
【図９】図９は、プラグユニット及びソケットユニットが互いに接続される前の、図７に示されるプラグユニット及びソケットユニットの断面図である。
【図１０】図１０は、図７に示されるプラグユニット及びソケットユニットの断面図であり、プラグユニットがソケットユニットに緩く嵌められている。
【図１１】図１１は、図７に示されるプラグユニット及びソケットユニットの断面図であり、プラグユニット及びソケットユニットが流れ可能接続をなすために互いに接続されている。
【発明を実施するための形態】
【００２７】
図１は、医療用流体を、特に透析流体を供給するためのデバイス１と、血液処理装置２と、透析流体を供給するためのデバイスを充填するための装置３とを示すかなり簡略化された概略図である。血液処理装置２は、体外透析装置又は腹膜透析のための装置であることができる。本実施形態では、血液処理装置２は、半透膜５で血液チャンバ６と透析流体チャンバ７とに分けられた透析部４を有する透析装置である。血液供給ライン８が、患者から透析部４の血液チャンバ６まで延び、また、血液ポンプ１０が接続された血液戻りライン９が、血液チャンバ６から患者まで延びている。血液チャンバ６と共に、血液供給ライン８及び血液戻りライン９が、透析装置２の体外血液回路Ｉを形成している。
【００２８】
新しい透析流体が、透析流体リザーバ１１から、透析流体ポンプ１３が接続された透析流体供給ライン１２を通って、透析部４の透析流体チャンバ７に伝達され、また、使用済みの透析流体が、透析流体戻りライン１４を通って透析流体チャンバから流出する。
【００２９】
本実施形態では２つのバッグ又はキャニスタ１５Ａ及び１５Ｂを有する装置１は、新しい透析流体を供給するために使用される。２つのバッグ又はキャニスタ１５Ａ、１５Ｂは、１つのユニット１５を形成し、バッグ１５Ａは、透析処理の前の新しい透析流体で充填されており、バッグ１５Ｂは空である。
【００３０】
供給ライン１６が、透析流体バッグ１５Ａから、プラグユニットＡの一方の接続点１７ａまで延び、また、戻りライン１８が、プラグユニットＡの他方の接続点１７ｂから空のバッグ１５Ｂまで延びている。
【００３１】
透析流体を供給するために、プラグユニットＡは、処理の前に、血液処理装置２に設けられたソケットユニットＢに接続され、かくして、新しい透析流体が供給ライン１６を通って透析流体リザーバ１１へ供給され、使用済みの透析流体が戻りライン１８を通って戻されることを可能にする。
【００３２】
透析流体を供給するためのデバイス１は、装置３にある新しい透析流体で充填される。透析流体を供給するためのデバイス２はまた、充填装置３によって空にされることができる。タンク２０Ａが、新しい透析流体を保持するために使用され、タンク２０Ｂが、使用済みの透析流体を受けるために使用される。必要とされるライン及びポンプはかなり簡略化された略図には示されていない。
【００３３】
新しい透析流体を供給するためのデバイス１を充填したり空にしたりするための、及び使用済みの透析流体を受けるための装置３は、透析流体を供給するためのデバイス１のプラグユニットＡが接続されるソケットユニットＢ’を有する。血液処理装置２のソケットユニットＢと、充填するか空にする装置のソケットユニットＢ’は、同一の形態であるか異なる形態であってもよい。本実施形態では、ソケットユニットＢ及びＢ’は異なる形態である。しかしながら、ソケットユニットＢ及びＢ’の両方が、新しい透析流体及び使用済みの透析流体に対して両方向への流体密な流れ可能接続が、透析流体を供給するためのデバイスのプラグユニットＡを用いて装置２、３の２つのアイテムになされることができるように設計されている。
【００３４】
続いて、透析流体を供給するためのデバイス１のプラグユニットＡが、血液処理装置２のソケットユニットＢと共に、図２ないし図６を参照してより詳細に説明される。図２は、プラグユニットＡ及びソケットユニットＢの斜視図であり、また、図３ないし図６は、プラグユニットＡ及びソケットユニットＢの断面を示す図である。血液処理装置２のソケットユニットＢは、好ましくは、交換可能な処理カセット（図示されない）の一部である。しかしながら、ソケットユニットＢは、交換可能でないユニットの一部であってもよい。ソケットユニットＢは、ねじ（図示されない）によって処理カセット又は血液処理装置のハウジング壁２２にねじ留めされた外側フランジ部分２１を有する。ソケットユニットの中心軸５８の２つの側の共通平面に配置された２つの円筒接続部分２３、２４が、外側フランジ部分２１から突出している。円筒接続部分２３、２４は、それぞれ、接続ピース２５、２６を同心に囲んでおり、接続ピース２５は、新しい透析流体を供給するために使用され、接続ピース２６は、使用済みの透析流体を戻すために使用される。
【００３５】
新しい透析流体を供給し、使用済みの透析流体を受けるための装置１のプラグユニットＡは、対応するコネクタ２７、２８を有し、これらは、流体密シールで接続ピース２５、２６に接続される。プラグユニットＡは、２つのコネクタ２７、２８を接続するプラグ本体２９を有する。プラグ本体２９は、一方のコネクタ２７に接続された供給通路３０と、他方のコネクタ２８に接続された戻り通路３１とを有する。新しい透析流体を供給し、使用済みの透析流体を受けるための装置１の供給ライン１６は、供給通路３０の接続点１７ａに接続され、その戻りライン１８は、戻り通路３１の接続点１７ｂに接続されている。はじめにプラグユニットＡとソケットユニットＢとの間になされることができる緩い接続で、突出ピース３２が２つのコネクタ２７、２８の間に位置される。突出ピース３２は、複数のラッチ部材３３を有し、これらラッチ部材は、周縁に分配されるように配置され、プラグ本体２９の一端に一体的に形成されている。ラッチノーズ３４が、ラッチ部材３３の自由端の外側面に形成されている。物理的接触からこれらを保護するために、コネクタ２７、２８は、プラグ本体２９のコネクタ２７、２８に嵌められて掛け金式に締められるスリーブ７６、７７を有する。コネクタ２７、２８は、ソケットユニットの接続ピース２５、２６によって貫通されるそれぞれの薄膜３５、３６によって閉じられる。
【００３６】
ハウジング壁２２の孔３８を貫通している円筒ガイドピース３７が、ソケットユニットＢのフランジ部分２１の中心に装着されている。前方部分４１と後方部分４２とを有する管状受けピース４０が、ガイドピース３７に長手方向に移動可能に装着される。ドライブユニット４３は、円筒ガイドピース３７に管状受けピース４０を移動させるために設けられている。本実施形態では、ドライブユニット４３は、リニアモータ４４及びスピンドル４５を有する電気モータ駆動スピンドルドライブであり、後者は、受けピース４０の後方部分４２に接続される。受けピース４０は、ガイドピース３７から出るように押され、スピンドル４５の延長及び引っ込みによってガイドピースに後退される。
【００３７】
複数の凹部４６が、受けピース４０の前方部分４１の前方端部の内部に設けられ、これら凹部は、周縁に分配されるように配置され、プラグユニットＡにある突出ピース３２のラッチ部材３３にあるラッチノーズ３４が、突出ピース３２が受けピース４０に挿入されたとき、凹部４６に掛け金式に締められるような形態であり、プロセスが、以下に詳細に説明される。
【００３８】
ソケットユニットＢは、突出ピース３２が受けピース４０に挿入されたことが検出される手段を有する。これら手段は、管状体の形態である感知部材４７を有し、感知部材は、管状受けピース４０において長手方向に移動可能であるようにガイドされる。管状の感知部材４７は、受けピース４０の後方部分４２に装着されたばね４８によって予め負荷が加えられる。長手方向における感知部材４７の移動の限界が簡単に図示され、これは、受けピース４０に設けられたスロット（断面の平面では見られない）にガイドされる停止部材４９によって設定される。
【００３９】
受けピース４０内の突出ピース３２を検出するために、ソケットユニットＢは、感知部材４７の前方端部が受けピース４０の前方端部と同じ高さにあるか（図３）、又はばね４８からの予め加えられた負荷に抗して受けピースに押し戻されたかどうかが検出される手段を有する。これは、突出ピース３２が受けピース４０に挿入された場合である。
【００４０】
ソケットユニットＢはまた、管状の感知部材４７の内部で、不動の位置に配置されたピンの形態である本体５０を有する。ピンの形態である本体５０は、例えば、感知部材４７のスロット（断面の平面では見られない）及び受けピース４０を通ってガイドピース３７に延びているピン３９によってロックされることができる。
【００４１】
続いて、プラグユニットＡがソケットユニットＢにどのように接続されるかが詳細に説明される。図３は、開始位置を示しており、開始位置ではソケットユニットＢがロックされている。この位置では、リニアモータ４３のスピンドル４５が引っ込められ、この結果、受けピース４０及び感知部材４７は後退され、かくして、ピンの形態である本体５０は、受けピースから突出している。かくして、ピンの形態である本体５０は、突出ピース３２が受けピース４０に挿入されるのを防ぐ。
【００４２】
図４は、受けピース４０及び感知部材４７の位置を示す図であり、この位置では、リニアモータ４４のスピンドル４５が延長され、受けピース４０及び感知部材４７は、ガイドピース３７から出るように進行される。この位置では、ガイドピース３７に接続されたピンの形態である本体５０は、受けピース４０に挿入されることができるように、プラグユニットＡの突出ピース３２に対して十分に離れているように後退される。
【００４３】
図５は、ソケットユニットＢの受けピース４０に嵌められたときのプラグユニットＡの突出ピース３２を示す図である。突出ピース３２が受けピース４０に挿入されたとき、ラッチ部材３３のラッチノーズ３４は、スナップイン作用により、受けピース４０の凹部４６に掛け金式に締められる。プラグユニットＡは、この手段によってソケットユニットに緩く保持される。しかしながら、ソケットユニットＢの接続部分２５、２６がプラグユニットＡのコネクタ２７、２８にまだ接続されていないので、流れ可能接続はまだこの場合にはなされていない。この位置では、プラグユニットの供給通路３０及び戻り通路３１は、薄膜３５、３６によって流体密シールでまだ閉じられている。
【００４４】
突出ピース３２が受けピース４０に挿入されたとき、受けピースにおいて長手方向に移動可能であるようにガイドされた感知部材４７は、ばね４８の弾性力に抗して突出ピース３２のラッチ部材３３によって受けピース４０に押し戻される。図５に示される感知部材４７の引っ込み位置は、例えば閉じられた電気コンタクト又は光障壁のような図示されない手段によって感知され、この結果、ドライブユニット４３が駆動され始める。リニアモータ４４は、スピンドル４５を引っ込め、かくして、受けピース４０及び感知部材４７が後退される。
【００４５】
図６は、リニアモータ４４のスピンドル４５が完全に引っ込められ、受けピース４０及び感知部材３７が完全に引っ込められたときの受けピース４０の位置を示す図である。受けピース４０が後退されると、ピンの形態である本体５０が突出ピース３２に進行され、この結果、突出ピース３２のラッチ部材３３のラッチノーズ３４は、受けピース４０の凹部４６に固定される。かくして、突出ピース３２は、受けピース４０にロックされる。受けピース４０への突出ピース３２のロックは、接続ピース２５、２６及びコネクタ２７、２８の相対移動と同時に起こる。
【００４６】
図６に示される位置では、リニアモータ４４のスピンドル４５が完全に引っ込められ、２つの接続ピース２５、２６及び２つのコネクタ２７、２８が流体密シールで一緒に接続される。受けピース４０への突出ピース３２のロックは、一方では、はじめはソケットユニットＢに緩く挿入されていたプラグユニットＡが、生じる力に抗してソケットユニットに引かれることができることを確実にし、他方では、流れ可能接続がいったんなされるとプラグユニットがソケットユニットから分離されるのを防ぐ。かくして、プラグユニットがソケットユニットにいったん緩く挿入されると、プラグユニットＡとソケットユニットＢとの間の流体密で取り外せない接続が自動的になされる。
【００４７】
ソケットユニットＢからのプラグユニットＡの解除は、ソケットユニットへのプラグユニットのロックと逆の順番に起こる。この目的のために、ドライブユニット４３は、再び駆動され始められる。これは、例えば、ボタン等を押すことによって行われることができる。リニアモータ４４のスピンドル４５が再び延長されたとき、受けピース４０及び感知部材４７は、ピンの形態である本体５０の上を前へと再び滑動し、この結果、突出ピース３２と受けピース４０と間の掛け金式に締められた接続のロックが解除される。同時に、接続ピース２５、２６は、コネクタ２７、２８から分離される。かくして、プラグユニットＡは、再び開始位置（図５）に位置され、この位置では、プラグユニットはソケットユニットにまだ緩く保持されている。これは、プラグユニットがソケットユニットから容易に落ちることができるのを防ぐ。
【００４８】
図７ないし図１１は、透析流体を供給するためのデバイス１を充填するための装置３に設けられたソケットユニットＢ’の他の実施形態を示す図である。基本的に、この他の実施形態は、処理装置２に同等に与えられることができる。しかしながら、この実施形態は、充填装置３に与えられる図２ないし図６を参照して説明されることが可能である。ソケットユニットＢ’の他の実施形態が、以下に詳細に説明される。
【００４９】
図７は、プラグユニットＡと一緒のソケットユニットＢ’の他の実施形態の斜視図である。ソケットユニットＢ、Ｂ’の両実施形態は、同じプラグユニットＡに接続されることができ、かくして、透析流体を供給するためのデバイス１が、一方では充填したり空にしたりする装置３に、他方では血液処理装置２に接続されることを可能にする。
【００５０】
ソケットユニットの２つの実施形態は、特に、プラグユニットＡが流れ可能接続をなすためにソケットユニットＢに接続されたとき、プラグユニットＡのコネクタ２７、２８が、プラグユニットＡを移動させることによって、ソケットユニットＢの接続ピース２５、２６に自動的に引かれ（図２ないし図６）、一方、ソケットユニットＢ’の他の実施形態では、ソケットユニットの接続ピースがプラグユニットＡのコネクタ２７、２８に移動され、この場合、プラグユニットＡは移動されない。さらに、ソケットユニットＢ’の他の実施形態は、２つの接続ピースの閉じ又は互いに接続しているプラグユニットＡ及びソケットユニットＢ’のないフラッシングプロセスのための２つの接続ピース間の流れ可能接続をなすことを考えている。
【００５１】
ソケットユニットＢ’は、充填装置３のハウジングの壁５２に挿入されたハウジング本体５１を有する（図７）。ハウジング本体５１は、プラグユニットＡの突出ピース３２の受けピース５７が配置された中央開口部５３を有する（図９）。図２ないし図６を参照して説明される実施形態とは対照的に、ソケットユニットＢ’の受けピース５７は、ソケットユニットＢ’の長手軸５８によって規定された方向に移動可能であるようにガイドされないが、ハウジング本体５１の中央開口部５３に挿入されたベアリング５９によって長手軸５８に回転可能に装着される。受けピース５７は、図示されないドライブユニットによって回転される。
【００５２】
受けピース５７は、ハウジング本体５１から外部に延びている前方部分６０と、ハウジング本体５１の中に延びている後方部分６１とを有し、前方部分６０は、後方部分６１よりも大きな内径及び外径である。受けピース５７の前方部分６０の前方端部の内部には、周縁に分配され、プラグユニットＡがソケットユニットＢ’に緩く嵌められたとき、突出ピース３２のラッチ部材３３にラッチノーズ３４を掛け金式に締める凹部６２が設けられている。
【００５３】
感知部材６３は、管状の受けピース５７において長手方向に移動可能にガイドされ、感知部材は管状体の形態をとり、突出ピース３２が受けピース５７に挿入されたとき、感知部材６３がばねからの負荷に抗して押し戻されるように、ばね（図示されない）によって予め負荷が加えられる。
【００５４】
受け部材５７の突出ピース３２をロックするためのピンの形態である本体６４が、管状の感知部材６３にガイドされる。ピンの形態である本体６４は、それぞれ、ドライブユニット（図示されない）によって、受けピース５７に突出ピース３２をロックしたり解除したりするために、軸５８の長手方向に進行され、再び後退されることができる。
【００５５】
ソケットユニットＢ’の他の実施形態では、接続ピース６５、６６は、ハウジング本体５１において長手方向に移動可能であるようにガイドされる接続部分６９の筒状開口６７、６８に装着され、これにより、接続ピース６５、６６がハウジング本体５１を出るように進行されたりハウジング５１に後退されたりすることを可能にする。接続ピース６５、６６を有する接続部分６９を進行させたり後退させたりするためのドライブユニットは、図面には示されない。
【００５６】
図９は、プラグユニットＡがソケットユニットＢ’に緩く嵌められた位置でのソケットユニットＢ’を示す図である。ピンの形態である本体６４は、受けピース５７、及び突出ピース３２のラッチ部材３３へと後退され、かくして、ラッチノーズ３４は、凹部６２を有する受けピース５７に掛け金式に締められることができる。
【００５７】
図１０は、突出ピース３２が受けピース５７に掛け金式に締められた、プラグユニットＡがソケットユニットＢ’の上に緩く嵌められた位置を示す図である。プラグユニットＡは、この場合、流れ可能接続なしで単に緩く保持されている。
【００５８】
感知部材６３の位置が再び監視される。感知部材６３が突出ピース３２によって押し戻されているので、プラグユニットＡが緩く嵌められていることが検出される。プラグユニットが緩く嵌められたとき、ドライブユニット（図示されない）が駆動され始め、この結果、ピンの形態の本体６４が受けピース５７中を進行される。結果として、はじめは緩かった突出ピース３２と受けピース５７との間の接続がロックされる。同時に、２つの接続ピース６５、６６を有する接続部分６９が、ハウジング本体５１から出るように進行される。また、ピンの形態である本体６４及び接続部分６９が互いに接続され、ドライブユニットによって一体的に移動されることが可能である。接続部分６９及び２つの接続ピース６５、６６の移動は、接続ピース６５、６６にプラグユニットＡの薄膜３５、３６の貫通をもたらし、この結果、接続ピースとコネクタとの間に流体密接続がなされる。再び、接続ピース６５、６６、コネクタ２７、２８の間に相対移動がある。しかしながら、この実施形態では、移動されるのはプラグユニットＡ自体ではない。突出ピースが受けピースにいったんロックされると、プラグユニットＡがソケットユニットＢ’に堅く据え付けられるので、プラグユニット及びソケットユニットが互いに接続されたときに生じる力が吸収されることができる。従って、ソケットユニットへのプラグユニットの接続は、再び、自動的に起こる。
【００５９】
ソケットユニットＢ’からのプラグユニットＡの解除は、逆の順番で起こる。この目的のために、ピンの形態である本体６４は、受けピース５７及び接続部分６９に後退され、接続ピース６５、６６は、ハウジング本体５１に後退され、この結果、突出ピース３２と受けピース５７との間の接続が解除され、接続ピース６５、６６は、コネクタ２７と２８から出るように引かれる。解除は、接続ピースを同時に引き戻すことで、又は接続ピースを引き戻す前に起こることができる。
【００６０】
ソケットユニットＢ’の他の実施形態は、フラッシングプロセスがフラッシングソリューションで実行されることを可能にするために、２つの接続ピース６５、６６を閉じるための、又は２つの接続ピース６５、６６間の流れ可能接続をするための手段７０を有する（図７、図８Ａ並びに図８Ｂ）。手段７０は、プラグユニットＡのコネクタ２７、２８と互いに同じ間隔で配置され、プラグユニットのコネクタと同じ形態である２つのコネクタ７１、７２を有する。２つのコネクタ７１、７２は、フラッシュピース７３の後方端部で閉じられるか、フラッシュピース７３に流れ可能接続をなすために接続される。
【００６１】
フラッシュピース７３は、コネクタ７１、７２が配置されない２つの向かい合った面に半円形窪み７４、７５を有する。コネクタ７１、７２を有するフラッシュピース７３は、ソケットユニットＢ’の受けピース５７の前方部分６０に接続される。この目的のために、フラッシュピース７３は、受けピース５７の前方部分６０が延びる（図９）中央開口部７８を有する。受けピース５７が長手軸５８に回転可能に装着されるので、フラッシュピース７３、また、コネクタ７１、７２は、ドライブユニット（図示されない）によって長手軸５８で回転されることができる。図７は、プラグユニットＡがソケットユニットＢ’に嵌められることができる位置にコネクタ７１、７２を有する短絡ピース７３を示している。この位置では、半円形窪み７４、７５は、ソケットユニットＢ’の接続ピース６５、６６の前方に位置され、一方、コネクタ７１、７２は、接続ピース６５、６６が配置された平面に垂直な平面に配置されている。
【００６２】
フラッシングプロセスを始めるために、コネクタ７１、７２を有するフラッシュピース７３は、ドライブユニット（図示されない）によって回転される受けピース５７の結果として、９０°回動され、かくして、コネクタ７１、７２は、接続ピース６５、６６の前方に位置される。しかしながら、これは、接続ピースがまだ閉じられないか、流れ可能接続が接続ピース間でまだなされていないことを意味する（図８Ａ）。そして、接続ピース６５、６６を有する接続部分６９が、ハウジング本体５１から出るように進行され、かくして、コネクタ６５、６６は、コネクタ７１、７２の薄膜へと押し込まれる。これは、ソケットユニットＢ’の接続ピース６５、６６の間の流体密接続をなし、かくして、コネクタ７１、７２と２つの接続ピース６５、６６とが、閉じられる、すなわち、フラッシュピース７３によって短絡される（図８Ｂ）。フラッシングプロセスが完了すると、接続ピース６５、６６が再び後退され、コネクタ７１、７２を有するフラッシュピース７３が、開始位置（図７）へ戻るように回転される。
【００６３】
流れ可能接続を閉じるための、又はなすための手段７０の特定の設計が、ソケットユニットＢ’の部分を形成する。個別のプラグ等の必要はない。ソケットユニットＢ’は、ソケットユニットＢ’へのプラグユニットＡの接続と、フラッシングプロセスの開始との両方を完全に自動制御することを可能にし、従って、全体として処理プロセスを単純化する。ソケットユニットへのプラグユニットの挿入が検出されるので、充填プロセス又は空にするプロセスが自動的に始められることができる。充填又は空にした後、プラグユニットは、自動的に解除されることができる。同じことがフラッシングプロセスに当てはまる。透析流体を供給するためのデバイス１が透析装置２に接続されたとき、流体リザーバ１０の充填もまた、透析装置のソケットユニットＢへのプラグユニットＡの挿入によって自動的に開始されることができる。
【図１】
2015509796.tif 000003
【図２】
2015509796.tif 000004
【図３】
2015509796.tif 000005
【図４】
2015509796.tif 000006
【図５】
2015509796.tif 000007
【図６】
2015509796.tif 000008
【図７】
2015509796.tif 000009
【図８Ａ】
2015509796.tif 000010
【図８Ｂ】
2015509796.tif 000011
【図９】
2015509796.tif 000012
【図１０】
2015509796.tif 000013
【図１１】
2015509796.tif 000014
【国際調査報告】
2015509796.tif 000015
2015509796.tif 000016
2015509796.tif 000017
2015509796.tif 000018